(57)【特許請求の範囲】
【請求項１】
遊技球を遊技機内から外部へ払い出す球払出口と、遊技機の前面に設けられ、前記球払出口から払い出される前記遊技球を受ける球受皿と、を備えた遊技機の遊技球貯留タンクにおいて、
前記遊技球貯留タンクは、前記球払出口から前記球受皿へ連通する通路の途上にあり、前記球払出口から払い出される前記遊技球を前記球受皿側に排出する傾斜面を有する通路部と、前記球受皿で受けきれない前記遊技球を一時貯留する貯留部と、を有し、
前記通路部は、第１傾斜面と第１傾斜面の上方に位置する第２傾斜面とからなり、
前記貯留部は前記第２傾斜面を仕切にして上空間部と下空間部の二層構造に形成され、
前記上空間部は遊技球を前記下空間部側に落下させる所定数の分散穴を有し、
前記第２傾斜面は前記遊技球貯留タンクの側面を基端として回動自在に支えられ、前記第２傾斜面を回動させると、前記第１傾斜面が露出する構造であることを特徴とする遊技機の遊技球貯留タンク。
【請求項２】
遊技球を遊技機内から外部へ払い出す球払出口と、遊技機の前面に設けられ、前記球払出口から払い出される前記遊技球を受ける球受皿と、を備えた遊技機の遊技球貯留タンクにおいて、
前記遊技球貯留タンクは、前記球払出口から前記球受皿へ連通する通路の途上にあり、前記球払出口から払い出される前記遊技球を前記球受皿側に排出する傾斜面を有する通路部と、前記球受皿で受けきれない前記遊技球を一時貯留する貯留部と、を有し、
前記通路部は、第１傾斜面と第１傾斜面の上方に位置する第２傾斜面とからなり、
前記貯留部は前記第２傾斜面を仕切にして上空間部と下空間部の二層構造に形成され、
前記上空間部は遊技球を前記下空間部側に落下させる所定数の分散穴を有し、
前記遊技球貯留タンクは、さらに前記第２傾斜面を含む上蓋部を有し、
この上蓋部は、遊技球貯留タンク本体の側面と前記上蓋部の側面との枢支部を基端として回動自在に支えられ、前記上蓋部を回動させて開放すると、前記第１傾斜面が露出する構造であることを特徴とする遊技機の遊技球貯留タンク。
【請求項３】
遊技球を遊技機内から外部へ払い出す球払出口と、遊技機の前面に設けられ、前記球払出口から払い出される前記遊技球を受ける球受皿と、を備えた遊技機の遊技球貯留タンクにおいて、
前記遊技球貯留タンクは、前記球払出口から前記球受皿へ連通する通路の途上にあり、前記球払出口から払い出される前記遊技球を前記球受皿側に排出する傾斜面を有する通路部と、前記球受皿で受けきれない前記遊技球を一時貯留する貯留部と、を有し、
前記通路部は、第１傾斜面と第１傾斜面の上方に位置する第２傾斜面とからなり、
前記貯留部は前記第２傾斜面を仕切にして上空間部と下空間部の二層構造に形成され、
前記上空間部は遊技球を前記下空間部側に落下させる所定数の分散穴を有し、
前記遊技球貯留タンクは、前記遊技機本体の表枠に設けられた収納部に対して着脱自在であり、
前記遊技球貯留タンクを前記収納部に対し装着する際、前記遊技球貯留タンクと前記収納部との間に弾性部材を設け、前記遊技球貯留タンク及び前記弾性部材を導電性部材で構成し、前記遊技球貯留タンクは、前記弾性部材を介してアース接地されることを特徴とする遊技機の遊技球貯留タンク。
【請求項４】
前記遊技機は、遊技球を遊技領域に投入実行したにも係わらず投入出来ずに返却される遊技球であるファール球を排出するファール球排出通路を有し、前記遊技球貯留タンクは前記ファール球排出通路と連結し、前記ファール球を前記貯留部側に受容させるファール球収容口を有することを特徴とする請求項１〜３のいずれかに記載の遊技機の遊技球貯留タンク。
【請求項５】
前記分散穴は、前記第２傾斜面の下流部と、前記第２傾斜面の長手方向の側面部とに少なくとも設けられていることを特徴とする請求項１〜４のいずれかに記載の遊技機の遊技球貯留タンク。
【発明の詳細な説明】
【０００１】
【発明の属する技術分野】
本発明は、パチンコ遊技機等の遊技機に備えた球受皿に係り、特に遊技球を球受皿へ供給する貯留時における処理機構に関するものである。
【０００２】
【従来の技術】
従来よりある、パチンコ遊技機等の遊技機は、その前面に、遊技の進行状況に応じて払い出される賞球や、現金あるいは遊技球貸し出し専用カード（パチンコ・プリペイドカード）により貸し出された貸球を受けるための球受皿が設けられている。
【０００３】
また、球受皿には遊技球を遊技機とは別体に設けられた遊技球収納箱等に収納するための球抜き穴と開閉可能な蓋が設けられている。この球抜き穴は球受皿が遊技球で満杯になる前に遊技球貯留箱等に移す際に用いられる。
【０００４】
【発明が解決しようとする課題】
ところで、遊技者が遊技に気を取られて球受皿が満杯になったことに気付かなかった場合や、大当たりにより大量の賞球が放出されて遊技球貯留箱等への移動が間に合わなかった場合、球受皿から遊技球がこぼれ落ちてしまう虞がある。
【０００５】
本発明は、前記問題点に鑑みなされたもので、球受皿が満杯になった時、球受皿の遊技球を一時貯留することができる遊技機の遊技球貯留タンク及び前記遊技球貯留タンク内で遊技球が流動する時に球詰まりを生じにくくし、かつ、該内部状況が常に確認できるようにすることを技術的課題とする。
【０００６】
【課題を解決するための手段】
本発明の遊技機の遊技球貯留タンクは、前述の技術的課題を解決するために以下のように構成されている。すなわち、本発明の遊技機の遊技球貯留タンクは、遊技球を遊技機内から外部へ払い出す球払出口と、遊技機の前面に設けられ、前記球払出口から払い出される前記遊技球を受ける球受皿と、を備えた遊技機の遊技球貯留タンクにおいて、
前記遊技球貯留タンクは、前記球払出口から前記球受皿へ連通する通路の途上にあり、前記球払出口から払い出される前記遊技球を前記球受皿側に排出する傾斜面を有する通路部と、前記球受皿で受けきれない前記遊技球を一時貯留する貯留部と、を有し、
前記通路部は、第１傾斜面と第１傾斜面の上方に位置する第２傾斜面とからなり、
前記貯留部は前記第２傾斜面を仕切にして上空間部と下空間部の二層構造に形成され、
前記上空間部は遊技球を前記下空間部側に落下させる所定数の分散穴を有し、
前記第２傾斜面は前記遊技球貯留タンクの側面を基端として回動自在に支えられ、前記第２傾斜面を回動させると、前記第１傾斜面が露出する構造であることを特徴とする。
【０００７】
この構成により、球受皿が遊技球により満杯になった時、球受皿内の遊技球を一時貯留するとともに遊技機内から払い出される遊技球を円滑に排出することができる。よって、遊技実行中に生じる遊技球の貯留時における不測の事態によるメンテナンスを減少させることができる。
【０００９】
前記分散穴を所定数設けたことで、球払出口から払い出される遊技球を仕切板となる第
２傾斜面で一端受けて、所定箇所（即ち、所定方向）に分散させて下空間部側に落下させる。従って、パチンコ玉が一方向のみで流れて嵩張る時に生じる球詰まりを分散穴を設けることで、解消させることができる。また、前記下空間部に前記球受皿内の遊技球を一時貯留していた場合でも、遊技球内から払い出された遊技球を第２傾斜面にて円滑に前記球受皿へと排出できる。
【００１１】
前記第２傾斜面が開放可能なため遊技球貯留タンクの下空間部内を覗くことができるので、遊技球貯留タンク内の掃除・保守（メンテ）が容易になる。
【００１２】
更にまた、本発明の遊技球貯留タンクにおいて、前記貯留部は、その側面に前記貯留部内部を透かして見る第１の光透過部を有し、前記球受皿は、前記第１の光透過部を介して前記貯留部内部が見られる第２の光透過部を有することを特徴とする。
【００１３】
遊技球貯留タンクに光透過部を設けたことで、遊技者が外部よりパチンコ玉の貯留具合が確認できる。また、メンテナンスを行う場合であっても遊技球貯留タンクに貯留された遊技球の状態が分かるため、不用意にパチンコ玉を溢れさせる危険性を防止できる。更に、該貯留部に多くのパチンコ玉が貯留された場合、大量にパチンコ玉を獲得したことを実感させるディスプレイ効果が図れるし、一時貯留させることのできる限界を容易に理解することもできるようになる。
【００１４】
更にまた、本発明の遊技球貯留タンクにおいて、前記遊技機は、遊技球を遊技領域に投入実行したにも係わらず出来ずに返却される遊技球であるファール球を排出するファール球排出通路を有し、前記遊技球貯留タンクは前記ファール球排出通路と連結し、前記ファール球を前記貯留部側に受容させるファール球収容口を有することを特徴とする。また、前記ファール球排出通路は、前記第１傾斜面と連結され、前記ファール球収容口は、前記第１傾斜面に設けられていることも特徴とする。
【００１５】
この構成によれば、遊技球貯留タンクがパチンコ玉を投入実行したにもかかわらず、遊技領域に到達できずに戻ってきたファール球を受容し、該ファール球を球受皿へと送り出し、再び遊技領域に投入することができる。更に、ファール球を排出するための長くて複雑な通路及び出口や受部を別途作成する必要がなく、遊技球貯留タンクの通路部が共用できる。
【００１６】
更にまた、本発明の遊技球貯留タンクにおいて、前記遊技球貯留タンクは、前記遊技機本体の表枠に設けられた収納部に対して着脱自在であることを特徴とする。
【００２０】
更にまた、本発明の遊技球貯留タンクにおいて、前記遊技球貯留タンクを前記収納部に対し装着する際、前記遊技球貯留タンクと前記収納部との間に弾性部材を設け、前記弾性部材は、導電性部材で構成され、前記遊技球貯留タンクは、前記弾性部材を介してアース接地することを特徴とする。この構成によれば、遊技球貯留タンクと前記弾性部材は導電性部材で形成し、弾性部材が自己放電容易状態（例えば、静電容量の大きな金属）になっていれば、遊技球貯留タンク内で生じた静電気を放電する機能を果たす。なお、弾性部材
は、静電容量が大きなものと接続していればよいが、アースできる接地部材を設ける構成としてもよい。
【００２１】
【発明の実施の形態】
以下、本発明の一実施の形態に係る遊技機の遊技球貯留タンクを図１〜図１５に基づいて詳細に説明する。なお、この実施の形態では、遊技機をパチンコ遊技機として説明する。
【００２２】
［遊技機の構造］
パチンコ遊技機Ｉは、図１の正面図に示すように、縦長な方形状に枠組みにて構成されパチンコ遊技機Ｉの設置場所に強固に固定される外枠３と、その外枠３に一側を保持され、且つその外枠３に対して開閉自在に設けられた表枠４と、その表枠４の前面上部に開閉自在に設けられた窓枠５とを備え、その表枠４にはパチンコ遊技機Ｉを構成する主要構成部品のほぼ全てが集約されて構成されている。
【００２３】
表枠４に設けられる主要構成部品としては、盤面上が遊技領域とされる遊技盤６と、この遊技盤６に設けられた遊技領域に遊技球（以下、パチンコ玉という）を打ち出す発射装置（遊技球処理部）７と、発射装置７を操作するための操作ハンドル８と、パチンコ遊技機Ｉに供給すべきパチンコ玉、およびパチンコ玉が入賞口１５，１５，１８に入り入賞した際にパチンコ遊技機Ｉから払い出される賞球を貯留する球受皿２と、必要に応じて所定個数のパチンコ玉を排出するパチンコ玉払出ユニット（図示せず）と、遊技盤６の裏面側の方向に設けられた各種装置を制御することで遊技状態を制御する制御装置（図示せず）とが挙げられる。
【００２４】
また、パチンコ遊技機Ｉには、表枠４に対して開閉自在な窓枠５が設けられている。この窓枠５は、遊技盤６の遊技領域全体をその枠内にほぼ覗きみることができる透視窓９を備えている。
【００２５】
更に、この透視窓９の外周に沿って装飾ＬＥＤ１０、装飾ランプ１１，１１、スピーカー１２，１２等が設けられている。この装飾ＬＥＤ１０や装飾ランプ１１，１１は、遊技の進行状況に応じて点滅する。また、スピーカー１２，１２は遊技の進行状況に応じて各種効果音を発する。
【００２６】
更にまた、遊技盤６は、表枠４の略中央部に装着される遊技盤６の収納枠４ａに収納固定されるべく、ほぼ正方形状の合板により形成されている。その前面には、ほぼ円形状に植立され、発射装置７により打ち出されたパチンコ玉の行き先を誘導する誘導レール１３と、誘導レール１３によって囲まれた領域に設けられた釘や風車などの障害物１４と、パチンコ玉が入ることで賞球を払い出させる条件成立の契機となる入賞口１５，１５が複数設けられている。
【００２７】
更にまた、遊技盤６の中央には種々の図柄及び情報を遊技の進行に合わせて表示する画像表示装置１７が設けられている。画像表示装置１７の直下には、画像表示装置１７の表示内容を可変せしめる為のトリガーとなるパチンコ玉を受け入れる始動入賞口（始動口）１８が設けられている。これらの入賞口１５，１５あるいは始動入賞口１８にパチンコ玉が入ると、所定数のパチンコ玉が賞球として払い出される。
【００２８】
更に、パチンコ遊技機Ｉの最下方には何れの入賞口１５，１５，１８にも入賞しないパチンコ玉が取り込まれるアウト口１６が設けられている。
【００２９】
また、上述した部品や装置が設けられた遊技盤６の下方には、パチンコ玉を貯留する球受皿２が設けられている。この球受皿２は、パチンコ遊技機Ｉに対して一皿のみ設けられているが、本発明においては一皿のみのものとは限られず、上下２段と分かれてなる２つの球受皿が備えられているものでも良い。
【００３０】
球受皿２は、図１に示すように、内部にパチンコ玉を貯留する球受皿貯留部１９を有し、パチンコ遊技機Ｉ前面から前方に突出して設けられている。
【００３１】
また、図１における球受皿２の右側部分の底面を基端として、発射装置７へパチンコ玉を案内する案内流路２０が発射部入口（図１中左側）２１へ向かうように穏やかな傾斜が設けられている。この傾斜の上流には、入賞時に払い出される賞球または貸球を払い出す球排出口２２ｂが設けられている。
【００３２】
更に、前記斜面の途中には、球抜きボタン３１により貯留されたパチンコ玉を排出する抜き穴２３が設けられている。抜き穴２３から排出されたパチンコ玉は、下方へ誘導する案内流路によりパチンコ遊技機Ｉの外部に排出される出口部に接地されているパチンコ玉貯留箱へと収容されることとなる。
【００３３】
［遊技球貯留タンク３３の構造］
遊技球貯留タンク３３は、表枠４内に設けられた球払出口２２ａから球排出口２２ｂを介して球受皿貯留部１９へ連通する途上にあり、図３〜図７に示すように、球受皿２の後方のパチンコ遊技機Ｉの内部に位置し、球払出口２２ａから払い出されるパチンコ玉を球受皿２側に排出する傾斜面を有する通路部（第１傾斜面５２、第２傾斜面４２）及び、第２傾斜面４２を回動自在にさせる上蓋部４０と、球受皿２で受容しきれないパチンコ玉を一時貯留する貯留部５０と、から構成される。
【００３４】
通路部は、二層構造の仕切板である第２傾斜面４２と第１傾斜面５２とから構成される。また、貯留部５０は第２傾斜面４２を仕切にして上空間部と下空間部の二層構造に形成される。更に、第２傾斜面４２の上方からなる上空間部の遊技球を前記下空間部側に落下させる３箇所の分散穴４３，４４，４５（図１３及び図１４参照）を有する。
【００３５】
分散穴４３，４４，４５は、球払出口２２ａから払い出されるパチンコ玉Ｂ（図１４参照）を仕切板である第２傾斜面４２で一端受けて、３箇所（即ち、３方向）に分散させて下空間部側に排出する。従って、パチンコ玉Ｂが一方向のみで流れる時に嵩張って生じる球詰まりを分散穴４３，４４，４５を設けることで、解消させることができる。
【００３６】
更に、上蓋部４０は遊技球貯留タンク本体５１の側面９０ａと上蓋部４０の側面９０ｂとの枢支部９０ｃを基端として回動自在に支えられ、上蓋部４０に固定されている第１の透過部６０ａが遊技球貯留タンク本体５１と係合させている回動固定係合部６１の係合を解除させ回動させて開放すると、第１傾斜面５２が露出する構造である。
【００３７】
上蓋部４０を開閉自在に構成したことで、遊技球貯留タンク３３内を覗くことができるので、遊技球貯留タンク３３内の掃除・保守（メンテ）が容易になる。
【００３８】
更にまた、貯留部５０は、その側面に貯留部５０内部を透かして見る第１の光透過部６０ａを設けている。一方、球受皿２側では、第１の光透過部６０ａを介して貯留部５０内部を透かして見る第２の光透過部６０ｂが設けられている。
【００３９】
第１の光透過部６０ａは、上蓋部４０側の係合穴４８ａ，４８ｂと係合することで、上蓋部４０に固定される（図６参照）。
【００４０】
遊技球貯留タンク３３に光透過部を設けたことで、遊技者が外部よりパチンコ玉の貯留具合が確認できる。また、メンテナンスを行う場合であっても遊技球貯留タンク本体５１に貯留された遊技球の状態が分かるため、不用意にパチンコ玉を溢れさせる危険性を防止できる。更に、貯留部５０に多くのパチンコ玉が貯留された場合、大量にパチンコ玉を獲得したことを実感させるディスプレイ効果が図れるし、一時貯留させることのできる限界を容易に理解することもできるようになる。
【００４１】
更にまた、パチンコ遊技機Ｉは遊技球を遊技領域に投入実行したにもかかわらず、できずに返却されたファール球を排出するファール球排出通路８０を備えている。そして、遊技球貯留タンク３３はファール球排出通路８０と連結し、ファール球を貯留部５０側に受容させるファール球収容口５５を設けている。
【００４２】
遊技球貯留タンク３３は、ファール球収容口５５を設けることで、ファール球を球受皿２へと排出するため長くて複雑な通路及び出口や受部を別途作成する必要がなく、遊技球貯留タンク３３の通路部が共用できる。
【００４３】
更にまた、遊技球貯留タンク３３はパチンコ遊技機Ｉ本体の表枠４に設けられた収納部７０に対して着脱自在である。
すなわち、上蓋部４０側上面には距離を隔ててレール溝４６とガイドレール４９が設けられている。なお、収納部７０には、レール溝４６と係合するガイドレール７１が設けられ、ガイドレール４９と摺動させるレール溝７２が設けられている。
【００４４】
また、遊技球貯留タンク本体５１の下面には距離を隔てて係合部材５６と位置決め部材５７が設けられている。係合部材５６には、係合穴５６ａが穿設されている。位置決め部材５７には位置決め穴５７ａが穿設されている。なお、パチンコ遊技機Ｉ内（表枠４内）には、係合部材５６の係合穴５６ａと係合する枠側係合部材５６ｂが設けられ、位置決め穴５７ａと係合する枠側位置決め部材５７ｂが設けられている。
【００４５】
そして、遊技球貯留タンク３３は収納部７０のガイドレール７１，７２と枠側位置決め部材５７ｂとを用いて装着すると共に、係合穴５６ａを枠側係合部材５６ｂに係合させ、枠側係合部材５６ｂを９０度回転させて固定する。
【００４６】
また、この実施の形態では、遊技球貯留タンク３３をパチンコ遊技機Ｉ本体に対し装着する際、遊技球貯留タンク本体５１の一側面の突出部５９と収納部７０の収納側面との間に板バネ状の弾性部材９０を設けている。この構成により、遊技球貯留タンク３３の装着時におけるガタつきも防止できるようにもなる。
【００４７】
そして、遊技球貯留タンク３３と弾性部材９０は導電性部材で形成されている。また、弾性部材９０は、自己放電容易状態（例えば、静電容量の大きな金属）になっており、遊技球貯留タンク３３内で生じた静電気を放電する機能を果たす。なお、弾性部材９０は、静電容量が大きなものと接続していればよいが、アースできる接地部材を設ける構成としてもよい。
【００４８】
遊技球貯留タンク３３に設けられた第１傾斜面５２から立ち上がっている一側面には補強のための突出部５３，５４が備えられており、突出部５４は第１傾斜面５２を流動するパチンコ玉を球排出口２２ｂの方向へ誘導する傾斜部が設けられている。更に、第１傾斜面５２には球詰まりなく、円滑に排出すべく複数のパチンコ玉の流動が分散され易くするために第１傾斜上流面５２ａと第１傾斜下流面５２ｂの傾斜角度を変化させて設けられている。
【００４９】
【発明の効果】
本発明によれば、球受皿が遊技球により満杯になった時、球受皿内の遊技球を一時貯留するとともに遊技機内から払い出される遊技球を円滑に排出することができる。よって、遊技実行中に生じる遊技球の貯留時における不測の事態によるメンテナンスを減少させることができる。
【図面の簡単な説明】
【図１】本発明の一実施の形態における遊技機の斜視図である。
【図２】本発明の一実施の形態における遊技機の正面図であり、球受皿台を開いた内部機構を省略した状態を示す。
【図３】本発明の一実施の形態における遊技機の本体枠を示す斜視図である。
【図４】遊技機の遊技球貯留タンクの組み立て説明図である。
【図５】遊技機の遊技球貯留タンクの平面図である。
【図６】遊技機の遊技球貯留タンクの正面図である。
【図７】遊技機の遊技球貯留タンクの底面図である。
【図８】遊技機の遊技球貯留タンクの側面図であり、第２傾斜面を開いた状態を示す。
【図９】遊技機の遊技球貯留タンクの側面図であり、第２傾斜面を閉じた状態を示す。
【図１０】遊技機の遊技球貯留タンクのＡ−Ａ断面図である。
【図１１】遊技機の遊技球貯留タンクのＢ−Ｂ断面図である。
【図１２】遊技機の遊技球貯留タンクのＣ−Ｃ断面図である。
【図１３】遊技機の遊技球貯留タンクの正面図であり、第２傾斜面を開いた状態を示す。
【図１４】遊技機の遊技球貯留タンクの平面図であり、パチンコ玉が貯留されている状態を示す。
【図１５】遊技機の遊技球貯留タンクの正面図であり、パチンコ玉が貯留されている状態を示す。
【符号の説明】
Ｉ…パチンコ遊技機（遊技機）
２…球受皿
３…外枠
４…表枠
５…窓枠
６…遊技盤
７…発射装置
８…操作ハンドル
９…透視窓
１０…装飾ＬＥＤ
１１…装飾ランプ
１２…スピーカー
１３…誘導レール
１４…障害物
１５…入賞口
１６…アウト口
１７…画像表示装置
１８…始動口
１９…球受皿貯留部
２０…案内流路
２１…発射部入口
２２ａ…球払出口
２２ｂ…球排出口
２３…抜き穴
２６…球貯留部
２９…排出通路
３３…遊技球貯留タンク
４０…上蓋部
４２…第２傾斜面
４３，４４，４５…分散穴
５０…貯留部
５１…遊技球貯留タンク本体
５２…第１傾斜面
５５…ファール球収容口
６０ａ…第１の光透過部
６０ｂ…第２の光透過部
７０…収納部
８０…ファール球排出通路
９０…弾性部材
９０ａ…遊技球貯留タンク本体の側面
９０ｂ…上蓋部の側面
９０ｃ…枢支部
【図１】
0003936198.tif 000002
【図２】
0003936198.tif 000003
【図３】
0003936198.tif 000004
【図４】
0003936198.tif 000005
【図５】
0003936198.tif 000006
【図６】
0003936198.tif 000007
【図７】
0003936198.tif 000008
【図８】
0003936198.tif 000009
【図９】
0003936198.tif 000010
【図１０】
0003936198.tif 000011
【図１１】
0003936198.tif 000012
【図１２】
0003936198.tif 000013
【図１３】
0003936198.tif 000014
【図１４】
0003936198.tif 000015
【図１５】
0003936198.tif 000016